(57)【特許請求の範囲】
【請求項１】
少なくとも音声情報を記録できる情報エリアと、この情報エリアの記録内容に関する変更可能な管理情報を記録できる管理情報エリアとを持つ情報媒体であって、
前記管理情報エリアの前記管理情報が少なくとも音声情報内容の再生手順を管理できるプログラムチェーン情報を含み、前記プログラムチェーン情報がセル情報を含み、前記セル情報がセル内の再生時刻情報もしくは再生位置情報を示すエントリポイント情報および前記音声情報の再生中に表示されるスチル画情報に関係した特定の情報を含み、
前記音声情報の区切り単位をオーディオトラックとしたときに、前記エントリポイント情報が、前記オーディオトラックの内容を示す代表音声の再生期間に対応した指定情報を含み、
前記代表音声の再生期間に対応した指定情報および前記スチル画情報に関係した特定の情報を含む前記管理情報用いて、記録された前記音声情報の再生を行なうように構成された記憶媒体。
【請求項２】
少なくとも音声情報を記録できる情報エリアとこの情報エリアの記録内容に関する変更可能な管理情報を記録できる管理情報エリアとを持ち、前記管理情報エリアの前記管理情報が少なくとも音声情報内容の再生手順を管理できるプログラムチェーン情報を含み、前記プログラムチェーン情報がセル情報を含み、前記セル情報がセル内の再生時刻情報もしくは再生位置情報を示すエントリポイント情報および前記音声情報の再生中に表示されるスチル画情報に関係した特定の情報を含み、前記音声情報の区切り単位をオーディオトラックとしたときに前記エントリポイント情報が前記オーディオトラックの内容を示す代表音声の再生期間に対応した指定情報を含み、前記代表音声の再生期間に対応した指定情報および前記スチル画情報に関係した特定の情報を含む前記管理情報用いて記録された前記音声情報の再生を行なうように構成された記憶媒体を用いる方法において、
前記情報エリアに前記音声情報を記録し、
前記管理情報エリアに前記管理情報を記録するように構成された記録方法。
【請求項３】
少なくとも音声情報を記録できる情報エリアとこの情報エリアの記録内容に関する変更可能な管理情報を記録できる管理情報エリアとを持ち、前記管理情報エリアの前記管理情報が少なくとも音声情報内容の再生手順を管理できるプログラムチェーン情報を含み、前記プログラムチェーン情報がセル情報を含み、前記セル情報がセル内の再生時刻情報もしくは再生位置情報を示すエントリポイント情報および前記音声情報の再生中に表示されるスチル画情報に関係した特定の情報を含み、前記音声情報の区切り単位をオーディオトラックとしたときに前記エントリポイント情報が前記オーディオトラックの内容を示す代表音声の再生期間に対応した指定情報を含み、前記代表音声の再生期間に対応した指定情報および前記スチル画情報に関係した特定の情報を含む前記管理情報用いて記録された前記音声情報の再生を行なうように構成された記憶媒体を用いる方法において、
前記管理情報エリアから前記管理情報を読み取り、
前記情報エリアから前記音声情報を読み取るように構成された再生方法。
【請求項４】
少なくとも音声情報を記録できる情報エリアとこの情報エリアの記録内容に関する変更可能な管理情報を記録できる管理情報エリアとを持ち、前記管理情報エリアの前記管理情報が少なくとも音声情報内容の再生手順を管理できるプログラムチェーン情報を含み、前記プログラムチェーン情報がセル情報を含み、前記セル情報がセル内の再生時刻情報もしくは再生位置情報を示すエントリポイント情報および前記音声情報の再生中に表示されるスチル画情報に関係した特定の情報を含み、前記音声情報の区切り単位をオーディオトラックとしたときに前記エントリポイント情報が前記オーディオトラックの内容を示す代表音声の再生期間に対応した指定情報を含み、前記代表音声の再生期間に対応した指定情報および前記スチル画情報に関係した特定の情報を含む前記管理情報用いて記録された前記音声情報の再生を行なうように構成された記憶媒体を用いる方法において、
前記情報エリアに前記音声情報を記録する手段と、
前記管理情報エリアに前記管理情報を記録する手段と
を具備した記録装置。
【請求項５】
少なくとも音声情報を記録できる情報エリアとこの情報エリアの記録内容に関する変更可能な管理情報を記録できる管理情報エリアとを持ち、前記管理情報エリアの前記管理情報が少なくとも音声情報内容の再生手順を管理できるプログラムチェーン情報を含み、前記プログラムチェーン情報がセル情報を含み、前記セル情報がセル内の再生時刻情報もしくは再生位置情報を示すエントリポイント情報および前記音声情報の再生中に表示されるスチル画情報に関係した特定の情報を含み、前記音声情報の区切り単位をオーディオトラックとしたときに前記エントリポイント情報が前記オーディオトラックの内容を示す代表音声の再生期間に対応した指定情報を含み、前記代表音声の再生期間に対応した指定情報および前記スチル画情報に関係した特定の情報を含む前記管理情報用いて記録された前記音声情報の再生を行なうように構成された記憶媒体を用いる方法において、
前記管理情報エリアから前記管理情報を読み取る手段と、
前記情報エリアから前記音声情報を読み取る手段と
を具備した再生装置。
【発明の詳細な説明】
【０００１】
【発明の属する技術分野】
この発明は、映像（ムービー）情報、静止画像（スチル画）情報および音声（オーディオ）情報のうち音声情報を含めて１つ以上の情報を記録しこれらの情報を共通管理できるデータ構造（あるいは記録フォーマット）、このデータ構造を用いて情報記録を行なう情報媒体、およびこのデータ構造に基づく情報を情報媒体に記録する装置に関する。
【０００２】
【従来の技術】
ＭＰＥＧ２に準拠した映像圧縮方法を利用して光ディスク（情報媒体）に映像情報を記録したＤＶＤビデオ（再生専用）は、既に製品化され普及が急速に進んでいる。一方、ユーザがアナログ映像情報をデジタル記録できる録再ＤＶＤも市場に現れ始めている。この録再ＤＶＤは、別名ＲＴＲ（リアルタイム記録の録再ＤＶＤ）とも呼ばれる。さらに、デジタルＴＶ放送の受信映像情報（デジタルビットストリーム）を情報媒体上に記録するストリーマに関する規格化も進んでいる。これらユーザによる映像情報記録可能な規格のフォーマット構造では、ＤＶＤビデオディスクのフォーマットと同様に再生単位をセルで表し、各セル間の関係をＰＧＣ（プログラムチェーン）制御情報に持たせている。また、ユーザによるデジタル音声記録媒体として、現在ＭＤ（ミニディスク）が市場に存在している。
【０００３】
【発明が解決しようとする課題】
ＲＴＲ（録再ＤＶＤ）ディスクとＭＤでは、ディスクサイズ、記録時のデータフォーマットが互いに異なるため、ＭＤの記録データをそのままＲＴＲ（録再ＤＶＤ）フォーマットで記録することはできない。さらに、ＲＴＲ（録再ＤＶＤ）規格では音声情報を単独で情報媒体上に記録できない構造となっている。そのため、今のところ、映像情報および／または静止画像情報とともに音声情報を１枚の情報媒体上に記録し、それらを混在状態で任意の順番で再生する方法はない。
【０００４】
この発明の目的は、同一の情報媒体上に映像情報、静止画像情報および／または音声情報を混在して記録可能にするとともに、各映像情報、静止画像情報、音声情報内の任意の領域に対して任意の順番で再生を可能にするデータ構造（フォーマット構造）を提供することである。
【０００５】
この発明の他の目的は、上記データ構造（フォーマット構造）を用いて情報記録を行なう情報媒体を提供することである。
【０００６】
この発明のさらに他の目的は、上記データ構造（フォーマット構造）に基づく情報を情報媒体に記録する装置を提供することである。
【０００７】
【課題を解決するための手段】
この発明の一実施の形態に係る情報媒体は、少なくとも音声情報を記録できる情報エリアと、この情報エリアの記録内容に関する変更可能な管理情報を記録できる管理情報エリアとを持つ。この情報媒体において、前記管理情報エリアの前記管理情報は少なくとも音声情報内容の再生手順を管理できるプログラムチェーン情報を含み、前記プログラムチェーン情報はセル情報を含み、前記セル情報はセル内の再生時刻情報もしくは再生位置情報を示すエントリポイント情報および前記音声情報の再生中に表示されるスチル画情報に関係した特定の情報を含む。また、前記音声情報の区切り単位をオーディオトラックとしたときに、前記エントリポイント情報が前記オーディオトラックの内容を示す代表音声の再生期間に対応した指定情報を含む。そして、前記代表音声の再生期間に対応した指定情報および前記スチル画情報に関係した特定の情報を含む前記管理情報用いて、記録された前記音声情報の再生を行なうように構成される。
【００１１】
上述した内容を実行するため、この発明の一実施の形態では、以下のようにしている：
Ａ．各セルに対する情報内にセルタイプ情報を持たせ、その中に“ムービーセル”“スチル画セル”“オーディオセル”と言う識別情報を持たせる。こうすることで、映像情報、静止画像情報、音声情報の識別を可能とし、これらの情報の混在再生を可能にする；
Ｂ．セルタイプ情報として、さらに“コンポジットセル（複合セル）”情報を設けることで、所定の（任意の）静止画像情報を再生しながら、所定の（任意の）音声情報を同時再生できる構造とする；
Ｃ．セルタイプ情報として更に“サイレントセル”情報を付加することでユーザが指定する無音期間を設定可能とする；
Ｄ．音声情報に対しても、映像情報と同様“タイムマップ”情報を持たせる。
このタイムマップ情報を利用することで、音声情報に対しても任意の時刻（任意の再生時間）でのタイムサーチを可能とする。
【００１２】
【発明の実施の形態】
以下図面を用いてこの発明の一実施の形態について説明をする。図１は、この発明の一実施の形態における各情報ファイルとそれらに関する管理情報との間の関係を例示している。
【００１３】
図１（ｉ）に示すように、音声情報はＲＴＲ＿ＡＵＤ．ＶＲＯ（またはＡＲ＿ＡＵＤＩＯ．ＡＲＯ）１１４というファイル内に記録される。また、映像情報は図１（ｏ）に示すようにＲＴＲ＿ＭＯＶ．ＶＲＯ（またはＶＲ＿ＭＯＶＩＥ．ＶＲＯ）１０７というファイル内に記録され、静止画像情報は図１（ｌ）に示すようにＲＴＲ＿ＶＲＯ（またはＶＲ＿ＳＴＩＬＬ．ＶＲＯ）１０８というファイル内に記録される。これらの各情報を統合的に管理する管理情報は、図１（ａ）〜（ｆ）に示すＲＴＲ．ＩＦＯ（またはＡＲ＿ＭＡＮＧＲ．ＩＦＯ）１０４というナビゲーションデータのファイル内に記録されている。
【００１４】
映像情報、静止画像情報、音声情報などの記録内容の全体あるいはその一部は、プログラムチェーン（ＰＧＣ）という論理単位で表すことができる。このＰＧＣは、再生すべき１以上のセルとその再生順序等が記述されたプログラムチェーン情報（ＰＧＣＩ）で構成される。一方、プログラム（ＰＧ）は、ＰＧＣの内容を分割した論理単位であり、１つのＰＧＣは整数個のＰＧに分割することができる。１つのＰＧは整数個のセルで構成される。
【００１５】
以上のことを図１（ａ）〜（ｃ）の例示にあてはめれば、オリジナルＰＧＣのＰＧＣＩ＃１は整数個のプログラム＃α、＃β、＃γ、…で構成される。また、プログラム＃αは１個のセル＃１（ムービーセル）により構成され、プログラム＃βは２個のセル＃２〜＃３（オーディオセル）により構成される。そして、プログラム＃γは３つのセル＃４（スチル画セル）、＃５（サイレントセル）、＃６（オーディオセル）で構成される。
【００１６】
図１（ｃ）（ｄ）に示すように、ムービーセル＃１はムービーＶＯＢ情報Ｍ＿ＶＯＢＩ・２に対応し、このＭ＿ＶＯＢＩはタイムマップ情報（ＴＭＡＰＩ）１０を持つ。同様に、オーディオセル＃２、＃３、＃６はそれぞれＡ＿ＶＯＢＩ＃Ａ・４、＃Ｂ・５、＃Ｃ・６に対応し、これらのＡ＿ＶＯＢＩ（＃Ａ〜＃Ｃ）はそれぞれタイムマップ情報１２、１３、１４を持つ。また、スチル画セル＃４はスチル画ＶＯＢグループ情報Ｓ＿ＶＯＧＩ・３に対応し、このＳ＿ＶＯＧＩはＶＯＢエントリ（Ｓ＿ＶＯＢ＿ＥＮＴ）１７を持つ。
【００１７】
ＭＰＥＧ２で圧縮された映像情報は、１個ないし複数のＧＯＰ（グループオブピクチャ）からなるＶＯＢＵ（ビデオオブジェクトユニット）を構成し、このＶＯＢが映像情報アクセスの最小単位となっている。記録（録画／録音）された１つのＴＶ番組などは、映像情報の塊として、一般には複数ＶＯＢＵ（図１（ｍ）のＶＯＢＵＮｏ．１、２、３、…）からなるＭ＿ＶＯＢ（ムービービデオオブジェクト）３１を構成している（図１（ｎ））。管理情報が記録されているＲＴＲ．ＩＦＯ１０４内には、それぞれのＭ＿ＶＯＢに関する情報が記載されているＭ＿ＶＯＢＩ（ムービービデオオブジェクト情報）２が存在し、各Ｍ＿ＶＯＢＩ毎にタイムマップ１０という情報が存在している。
【００１８】
静止画像情報に関しては、１枚の静止画像毎にそれぞれスチル画ＶＯＢ２１（図１（ｋ））が構成される。そして、図１（ｊ）に示すように、静止画像そのものはビデオパート２２に記録され、その静止画像に付加された音声情報はオーディオパート２３に記録されている。ビデオパート２２に記録された１枚ないしは複数枚の静止画像のまとまり毎にスチル画ビデオオブジェクトグループ情報（図１（ｄ）のＳ＿ＶＯＧＩ）３が形成され、このＳ＿ＶＯＧＩに含まれるＶＯＢエントリ（Ｓ＿ＶＯＢ＿ＥＮＴ）１７に１枚の静止画像毎のデータサイズなどの情報が記録されている。
【００１９】
音声情報が記録されているＲＴＲ＿ＡＵＤ．ＶＲＯ１１４ファイル（図１（ｉ））内では、タイトル（録音時の曲）毎あるいは１回の録音タイミング毎に、記録情報が個々のオーディオビデオオブジェクトＡ＿ＶＯＢ（またはオーディオオブジェクトＡＯＢ）として分割記録される（図１（ｈ）の＃Ａ〜＃Ｃ）。
【００２０】
個々のＡ＿ＶＯＢ（またはＡＯＢ）に対する情報は、オーディオビデオオブジェクト情報Ａ＿ＶＯＢＩ（またはオーディオオブジェクト情報ＡＯＢＩ）に記録される。また、情報媒体上に記録された音声情報は、複数のオーディオフレームあるいは１秒間隔、２秒間隔、５秒間隔など録画時の特定の時間間隔毎に、オーディオエントリに分割される。
【００２１】
図１（ｄ）のタイムマップ１２〜１４の情報は、図１（ｇ）の各オーディオエントリＮｏ．１〜Ｎｏ．５（またはタイムサーチテーブルエントリＴＭＳＲＴ＿ｅｎｔｒｙ＃１〜＃５）に関係した形で、各Ａ＿ＶＯＢＩ（＃Ａ〜＃Ｃ）毎に記録されている。換言すれば、図１（ｇ）に示した実施の形態では、音声情報はオーディオエントリ（またはタイムサーチテーブルエントリ）毎にそれぞれまとまって記録されている。
【００２２】
図１の実施の形態では、既存のＲＴＲ規格内の映像情報（図１（ｎ）のムービーＶＯＢ３１）と同様に、各オーディオＶＯＢ（ＡＯＢ）＃Ａ〜＃Ｃに対して開始位置から終了位置まで再生範囲を指定したセル＃２、＃３、＃６を定義している。そして、音声情報（オーディオＶＯＢ＃Ａ〜＃Ｃ）を、映像情報（ムービーＶＯＢ３１）の開始位置から終了位置まで再生範囲を指定したセル＃１あるいは静止画像情報（スチル画ＶＯＢ２１）の開始位置から終了位置まで再生範囲を指定したセル＃４と全く同列に扱えるようにしている。ここにこの発明の特徴の１つがある。
【００２３】
オリジナルＰＧＣは、情報媒体上に記録してある全ＡＶ情報をあたかも１本のテープのように再生する手順を示す情報であるとも言える。この再生手順情報は、図１（ａ）に示すプログラムチェーン情報（ＰＧＣＩ＃１）１内に記載されている。ＰＧＣＩ＃１の情報内容は、図１（ｃ）に示すように各セル間の配列順を示したものある。オリジナルＰＧＣを再生する場合には、図１（ｃ）に配列されたセルを左から順番に再生する。このようにＰＧＣＩ情報を持つことで映像情報、静止画像情報、音声情報間の繋がり（再生順序）を明確にしている。
【００２４】
この実施の形態では、図１（ａ）に示すＰＧＣＩ＃１をＲＴＲ．ＩＦＯ（またはＡＲ＿ＭＡＮＧＲ．ＩＦＯ）１０４内に唯一存在するオリジナルＰＧＣと定義し、ユーザが任意に定めたｎ個（整数個）のＰＧＣＩ＃ｎをユーザ定義ＰＧＣ（図１（ｆ））と定義する。このユーザ定義ＰＧＣは複数存在でき、図１（ｅ）に示す各セル＃１１〜＃１３の配列順で再生手順を示すことができる。このユーザ定義ＰＧＣの下に存在するセル＃１１〜＃１３は、適宜タイムマップ１０〜１４を中継することにより、各ＶＯＢ内の任意の範囲を指定したものに設定できる。
【００２５】
換言すると、音声情報に関する管理情報であるＡ＿ＶＯＢＩ＃Ａ４〜＃Ｃ６内には図１（ｄ）のタイムマップ１２〜１４が設けられ、ユーザ定義ＰＧＣの下に存在する図１（ｅ）のセル＃１１〜＃１３は、このタイムマップ１２〜１４の情報を利用して、再生範囲を指定（時刻指定）できる。
【００２６】
この実施の形態では、図１（ｃ）に示すように各セルに対応したセル情報内にセルタイプ情報を持たせ、映像情報（ムービーセル）、静止画像情報（スチル画セル）と音声情報（オーディオセル）間の識別を可能としている。
【００２７】
映像情報（ムービーセル）、静止画像情報（スチル画セル）、音声情報（オーディオセル）、および音声＋映像または静止画像の情報（コンポジットセル）と、セルタイプ（３ビット）との対応関係は、たとえば次のように設定できる：
ムービーセル：セルタイプ＝“０００”
スチル画セル：セルタイプ＝“００１”
オーディオセル：セルタイプ＝“０１０”
コンポジットセル：セルタイプ＝“０１１”
なお、上記セルタイプはあくまで一例であり、たとえばオーディオセルのセルタイプは、（他のセルタイプと混同が生じない限り）“０００”〜“１１１”のいずれかに選ぶことができる。
【００２８】
図２は、この発明の一実施の形態に係るデータファイルのディレクトリ構造を説明する図である。ＤＶＤーＲＡＭディスク等の情報媒体に記録される情報は、各情報毎に階層ファイル構造を持っている。この実施の形態において説明される音声情報等は、ＤＶＤ＿ＲＴＲディレクトリ（またはＤＶＤ＿ＲＴＡＶ）１０２と言う名のサブディレクトリ１０１内に入っている。
【００２９】
ＤＶＤ＿ＲＴＲ（ＤＶＤ＿ＲＴＡＶ）ディレクトリ１０２内には、以下の内容のデータファイル１０３が格納される。すなわち、管理情報（ナビゲーションデータ）のグループとして、ＲＴＲ．ＩＦＯ（またはＶＲ＿ＭＡＮＧＲ．ＩＦＯ）１０４と、ＳＴＲＥＡＭ．ＩＦＯ（ＳＲ＿ＭＡＮＧＲ．ＩＦＯ／ＳＲ＿ＭＡＮＧＲ．ＢＵＰ）１０５と、ＳＲ＿ＰＲＩＶＴ．ＤＡＴ／ＳＲ＿ＰＲＩＶＴ．ＢＵＰ１０５ａとが格納される。また、データ本体（コンテンツ情報）として、ＳＴＲＥＡＭ．ＶＲＯ（またはＳＲ＿ＴＲＡＮＳ．ＳＲＯ）１０６と、ＲＴＲ＿ＭＯＶ．ＶＲＯ（ＶＲ＿ＭＯＶＩＥ．ＶＲＯ）１０７と、ＲＴＲ＿ＳＴＯ．ＶＲＯ（またはＶＲ＿ＳＴＩＬＬ．ＶＲＯ）１０８と、ＲＴＲ＿ＳＴＡ．ＶＲＯ（またはＶＲ＿ＡＵＤＩＯ．ＶＲＯ）１０９とが格納される。
【００３０】
上記データファイル１０３を含むサブディレクトリ１０１の上位階層にあるルートディレクトリ１００には、その他の情報を格納するサブディレクトリ１１０を設けることができる。このサブディレクトリの内容としては、ビデオプログラムを収めたビデオタイトルセットＶＩＤＥＯ＿ＴＳ１１１、オーディオプログラムを収めたオーディオタイトルセットＡＵＤＩＯ＿ＴＳ１１２、コンピュータデータ保存用のサブディレクトリ１１３等がある。
【００３１】
有線または無線のデータ通信経路上をパケット構造の形で伝送されたデータに対して、パケット構造を保持したまま情報媒体に記録したデータを、「ストリームデータ」と呼ぶ。
【００３２】
そのストリームデータそのものはＳＴＲＥＡＭ．ＶＲＯ（またはＳＲ＿ＴＲＡＮＳ．ＳＲＯ）１０６と言うファイル名でまとめて記録される。そのストリームデータに対する管理情報が記録されているファイルが、ＳＴＲＥＡＭ．ＩＦＯ（またはＳＲ＿ＭＡＮＧＲ．ＩＦＯとそのバックアップファイルＳＲ＿ＭＡＮＧＲ．ＢＵＰ）１０５である。
【００３３】
また、ＶＣＲ（ＶＴＲ）あるいは従来ＴＶなどで扱われるアナログ映像情報をＭＰＥＧ２規格に基づきデジタル圧縮して記録されたファイルが、ＲＴＲ＿ＭＯＶ．ＶＲＯ（またはＶＲ＿ＭＯＶＩＥ．ＶＲＯ）１０７であり、アフターレコーディング音声あるいはバックグランド音楽等を含む静止画像情報を集めたファイルがＲＴＲ＿ＳＴＯ．ＶＲＯ（またはＶＲ＿ＳＴＩＬＬ．ＶＲＯ）１０８であり、そのアフターレコーディング音声情報ファイルがＲＴＲ＿ＳＴＡ．ＶＲＯ（またはＶＲ＿ＡＵＤＩＯ．ＶＲＯ）１０９である。さらに、図２のディレクトリ構造では、音声情報は、オーディオリアルタイムビデオオブジェクトＲＴＲ＿ＡＵＤ．ＶＲＯ（またはＶＲ＿ＡＵＤＩＯ．ＶＲＯ）１１４と言う１個のファイル内にまとめて記録されている。
【００３４】
なお、図２のディレクトリ構造に限らず、音声情報を、アフターレコーディング音声情報が記録されているＲＴＲ＿ＳＴＡ．ＶＲＯ１０９ファイルあるいは静止画像情報が記録されているＲＴＲ＿ＳＴＯ．ＶＲＯ１０８内のオーディオパート２３（図１（ｊ））内にまとめて記録することも可能である。
【００３５】
図３は、図２に示した各ファイルの情報媒体上における記録配置位置を例示している。図３（ａ）の情報媒体２０１の内周部と外周部には、図３（ｂ）に示すようにリードインエリア２０４とリードアウトエリア２０５が配置され、その間に挟まった領域にユーザデータが記録される。情報媒体２０１としてＤＶＤ−ＲＡＭディスクを用いる場合は、ファイルシステムにＵＤＦ（ユニバーサルディスクフォーマット）が採用される。このＵＤＦに関する一般情報はボリューム＆ファイル構造情報２０６に記録され、その残りのデータエリア２０７内にユーザ情報が記録される。
【００３６】
図３（ｃ）に示すように、この実施の形態では、同一の情報媒体２０１上にコンピュータデータエリア２０８および２０９とオーディオ＆ビデオデータエリア２１０とが混在記録可能になっている。
【００３７】
オーディオ＆ビデオデータエリア２１０内には、図３（ｄ）に示すように、入力されたアナログ映像情報および／または音声情報をデジタル記録するリアルタイムビデオ記録エリア２２１、およびデジタルＴＶの受信映像を記録するストリーム記録エリア２２２を設けることができる。上記各エリア（２０８〜２０９）には、図２に示したファイルが図３（ｅ）の形で記録されている。
【００３８】
映像情報、静止画像情報および音声情報の全ＡＶ情報に関する管理情報は、図３（ｅ）のＲＴＲ．ＩＦＯ１０４と言う同一のファイル内にまとめて記録され、共通管理されている。
【００３９】
ＲＴＲ．ＩＦＯ１０４内には、図３（ｆ）に示す各種の情報が記録されている。すなわち、ＲＴＲ．ＩＦＯ１０４には、ＲＴＲビデオマネージャ情報（ＲＴＲ＿ＶＭＧＩ）２３１、ムービーＡＶファイル情報テーブル（Ｍ＿ＡＶＦＩＴ）２３２、スチル画ＡＶファイル情報テーブル（Ｓ＿ＡＶＦＩＴ）２３７、オーディオＡＶファイル情報テーブル（Ａ＿ＡＶＦＩＴ）２３８、オリジナルＰＧＣ情報（ＯＲＧ＿ＰＧＣＩ）２３３、ユーザ定義ＰＧＣ情報テーブル（ＵＤ＿ＰＧＣＩＴ）２３４、テキストデータマネージャ（ＴＸＴＤＴ＿ＭＧ）２３５、製造者情報テーブル（ＭＮＦＩＴ）２３６等が記録される。
【００４０】
図示しないが、スチル画ＡＶファイル情報テーブル（Ｓ＿ＡＶＦＩＴ）２３７はスチル画の付加オーディオファイル情報（Ｓ＿ＡＡＦＩ）を含むことができ、Ｓ＿ＡＡＦＩは１以上のスチル画付加オーディオグループ情報（Ｓ＿ＡＡＧＩ＃１〜＃ｎ）を含むことができ、各Ｓ＿ＡＡＧＩはスチル画付加オーディオグループ一般情報（Ｓ＿ＡＡＧ＿ＧＩ）および１以上の付加オーディオエントリ（ＡＡ＿ＥＮＴ＃１〜＃ｎ）を含むことができる。
【００４１】
ここで、Ｓ＿ＡＡＧ＿ＧＩは、付加オーディオエントリの数（ＡＡ＿ＥＮＴ＿Ｎｓ）、スチル画付加オーディオストリーム情報番号（Ｓ＿ＡＡ＿ＳＴＩＮ）、スチル画付加オーディオファイル内の該当付加オーディオグループの開始アドレス（Ｓ＿ＡＡＧ＿ＳＡ）等で構成される。
【００４２】
また、各ＡＡ＿ＥＮＴは、付加オーディオタイプ（ＡＡ＿ＴＹ）、付加オーディオパートサイズ（ＡＡ＿ＰＡＲＴ＿ＳＺ）、付加オーディオパートの再生時間（ＡＡ＿ＰＡＲＴ＿ＰＢ＿ＴＭ）等で構成される。付加オーディオタイプ（ＡＡ＿ＴＹ）には、該当付加オーディオが通常の状態にあるのか（ＡＡ＿ＴＹ＝“０”）仮消去状態にあるのか（ＡＡ＿ＴＹ＝“１”）を示す１ビットフラグが格納される。
【００４３】
音声情報に関する管理情報は、図３（ｆ）のオーディオＡＶファイル情報テーブル２３８内にまとめて記録されている。図３（ｇ）は、オーディオＡＶファイル情報テーブル２３８、オリジナルＰＧＣ情報（ＯＲＧ＿ＰＧＣＩ）２３３、およびユーザ定義ＰＧＣ情報テーブル（ＵＤ＿ＰＧＣＩＴ）２３４の記録内容を例示している。
【００４４】
図３（ｇ）のオーディオＶＯＢ情報（Ａ＿ＶＯＢＩ＃Ａ）２４２は、図１（ｄ）のＡ＿ＶＯＢＩ＃Ａに対応し、図３（ｇ）のオーディオＶＯＢ情報（Ａ＿ＶＯＢＩ＃Ｂ）２４３は図１（ｄ）のＡ＿ＶＯＢＩ＃Ｂに対応している。また、図１（ａ）のＰＧＣＩ＃１（オリジナルＰＧＣ）は図３（ｆ）のオリジナルＰＧＣ情報（ＯＲＧ＿ＰＧＣＩ）２３３に対応し、図１（ｆ）のユーザ定義ＰＧＣ（ＰＧＣＩ＃ｎ）は図３（ｆ）のユーザ定義ＰＧＣ情報テーブル（ＵＤ＿ＰＧＣＩＴ）２３４を意味している。さらに、図１（ｄ）に示した各タイムマップ１２、１３、１４内の情報は、図３（ｈ）のタイムマップ情報２５２に記録され、その中の詳細な構造は図３（ｉ）に示すようになっている。
【００４５】
音声情報の多くはオーディオフレームという最小単位を有している。この実施の形態では複数のオーディオフレームをまとめてオーディオエントリと言う単位を構成し、タイムマップ情報２５２上ではこのオーディオエントリ毎の情報管理を行っている。
【００４６】
オーディオエントリの形成方法としては、上記のように複数のオーディオフレーム毎にまとめる代わりに、１秒毎、２秒毎、５秒毎などの特定の時間間隔毎の音声情報をまとめてオーディオエントリを構成させることも可能である。このオーディオエントリをまとめる時間間隔情報は、図３（ｉ）のオーディオエントリ時間差２６５に持たせることができる。
【００４７】
音声情報（音楽プログラム）は、１曲毎あるいは１タイトル毎にオーディオＶＯＢ（ＡＯＢ）としてまとめられ、各オーディオＶＯＢ毎に含まれるオーディオエントリ数はオーディオエントリ数２６０に記録される。また、ＲＴＲ＿ＡＵＤ．ＶＲＯ１１４ファイル内に記録されている音声情報に対して、各オーディオＶＯＢ毎に含まれる各オーディオエントリの記録サイズは、第１オーディオエントリデータサイズ２６１、第２オーディオエントリデータサイズ２６２、…に記録することができる。
【００４８】
オーディオエントリ数２６０は、Ｓ＿ＡＶＦＩＴ２３７内の前述したＡＡ＿ＥＮＴ＿Ｎｓあるいは図５を参照して後述するＴＭＳＲＴＥ＿Ｎｓに対応する内容を持つことができる。また、各オーディオエントリデータサイズ２６１、２６２等は、Ｓ＿ＡＶＦＩＴ２３７内の前述したＡＡ＿ＰＡＲＴ＿ＳＺあるいは図５を参照して後述するＴＭＳＲＴ＿ｅｎｔｒｙに対応する内容を持つことができる。
【００４９】
ユーザ等によりオーディオＶＯＢ（ＡＯＢ）内の再生開始時刻が指定されると、指定された時刻に対して何番目のオーディオエントリにユーザ等が指定した音声情報が含まれるかを調べ、第１オーディオエントリデータサイズ２６１、第２オーディオエントリデータサイズ２６２、…のデータサイズを加算（累積）して情報媒体２０１上の指定された音声情報が記録されている位置（再生開始時刻に対応したアドレス）を算出することができる。
【００５０】
図３（ｈ）（ｉ）に示したタイムマップ情報２５２のデータ構造では各オーディオエントリ毎のデータサイズが記録されているが、それに限らず、各オーディオエントリの先頭位置での累計位置（アドレス）情報をタイムマップ情報２５２に持たせることも可能である。
【００５１】
また、図１（ｇ）に示した実施の形態では音声情報はオーディオエントリ毎にそれぞれまとまって記録されているが、この発明の他の実施の形態として、図１（ｇ）のようにまとまりを持って音声情報を記録する代わりに音声情報を連続に記録する方法もある。この場合には、タイムマップ情報２５２情報を持たず、その代わり図３（ｈ）に示したエントリポイント情報２８３を利用する。
【００５２】
すなわち、エントリポイント情報２８３内の音声開始エントリポイント設定エリア２８３０に図３（ｉ）のタイムマップ情報と類似したデータ構造を持たせ、１秒間隔、２秒間隔など特定の時間間隔で音声情報（無音情報を含み得る）が記録されている位置（アドレス）を、音声開始位置を示すエントリポイント２８３２として逐次記録するようにできる。
【００５３】
また、オーディオエントリ時間差２６５と同様な時間間隔情報および／またはオーディオエントリ数２６０と同様なエントリポイント数も、エントリポイント情報２８３内に記録できる。ユーザが指定した音声再生開始時刻に対する情報媒体２０１上のアクセス位置算出方法も前述したタイムマップ情報２５２を用いた方法と同様でよい。
【００５４】
ところで、オーディオのみのオブジェクト（オーディオオンリータイトルのオーディオオブジェクトＡＯＴＴ＿ＡＯＢ）内のセルには、２種類ある。１つはオーディオセルであり、もう１つはサイレントセルである。オーディオセルは、オーディオデータのみ、あるいはオーディオデータとリアルタイム情報データとによって構成される。オーディオセルの再生時間は１秒以上とされる。一方、サイレントセルは無音期間用のオーディオデータだけで構成され、その再生時間は０．５秒以上とされる。
【００５５】
音声情報（特に複数の曲を纏めた音楽アルバム）では、再生時に曲と曲の間の無音時間が重要となる。この発明の実施の形態では、上記サイレントセルを利用して、無音時間情報を容易に設定できる。
【００５６】
たとえば図１（ｃ）に示したセル＃５は、対応する音声情報を持たず、セルタイプとしてサイレントセルが指定されている。図１（ｃ）に示す各セルタイプの情報は図３（ｈ）に示すセルタイプ２８０、２８１の領域に記録される。図３（ｈ）に示すようにオリジナルセル情報２７２内の情報として表示時間２８２の情報が記録できる構造になっており、サイレントセルが指定されたセルに対する無音期間をこの表示時間２８２情報内で設定することができる。
【００５７】
その他、図３（ｈ）に示すセルタイプ２８０、２８１には、映像情報（ＲＴＲ＿ＭＯＶ．ＶＲＯ／ＶＲ＿ＭＯＶＩＥ．ＶＲＯ）、静止画像情報（ＲＴＲ＿ＳＴＯ．ＶＲＯ／ＶＲ＿ＳＴＩＬＬ．ＶＲＯ／ＡＲ＿ＳＴＩＬＬ．ＡＲＯ）、テキスト情報（ＡＲ＿ＲＴ＿ＴＥＸＴ．ＡＲＯ）、ストリーム情報（ＳＴＲＥＡＭ．ＶＲＯ／ＳＲ＿ＴＲＡＮＳ．ＳＲＯ）、音声情報（ＲＴＲ＿ＳＴＡ．ＶＲＯ／ＶＲ＿ＡＵＤＩＯ．ＶＲＯ／ＲＴＲ＿ＡＵＤ．ＶＲＯ／ＡＲ＿ＡＵＤＩＯ．ＡＲＯ）等を識別する識別情報（複数ビットの識別フラグ）を記述できるようになっている。
【００５８】
無音期間の設定方法としては、次のようなものがある。すなわち、図３（ｈ）のエントリポイント情報２８３内に音声開始エントリポイントの設定領域２８３０を設ける。この実施の形態では、図１（ｈ）内のオーディオＶＯＢ（ＡＯＢ）内には予め無音期間も含めた音声情報が記録されている。無音期間が終了して音が出始める位置は、音声開始エントリポイント２８３２の時刻情報として記録できる。ユーザ等が無音期間を飛ばして直接音声開始位置から再生開始したいと希望する場合には、この音声開始エントリポイント情報を利用して情報媒体２０１へのアクセスを開始すればよい。
【００５９】
この発明の一実施の形態では、図１（ｆ）のユーザ定義ＰＧＣ８を利用して、既に記録してある音声情報と静止画像情報、あるいは既に記録してある映像情報と別の時期に記録した音声情報とを同時に再生できるようなデータ構造を採用している。
【００６０】
すなわち、図１（ｅ）に示すように、セルタイプとしてコンポジットセルが指定された場合には、２種類の情報の同時再生が指示される。この同時再生を可能にするために、図３（ｈ）に示すように、ユーザ定義セル情報２７７内のデータ構造として、２個のＶＯＢ番号２８４、２８５を個々に指定できるようにするとともに、それぞれのＶＯＢに対する再生開始時刻であるＶＯＢ開始時間２８６、２８７と再生終了時刻であるＶＯＢ終了時間２８８、２８９の情報もセル情報として持っている。
【００６１】
図４は、この発明の一実施の形態に係る音声情報記録再生装置（音声記録再生機能が拡張されたＲＴＲビデオレコーダおよび／またはストリーマ）の構成を説明する図である。以下、図４を用いて、この発明の好ましい実施形態としての音声情報記録再生装置の内部構造の説明を行う。
【００６２】
この実施の形態における音声情報記録再生装置は、エンコーダ部４０１、デコーダ部４０２、ＳＴＢ部４０３、主ＭＰＵ部４０４、Ｖ（ビデオ）ミキシング部４０５、フレームメモリ部４０６、キー入力部４０７、表示部４０８、ＤＶＤ−ＲＡＭディスク２０１に対して情報記録あるいは情報再生を行なうディスクドライブ部４０９、データプロセサ（Ｄ−ＰＲＯ）部４１０、一時記憶部４１１、Ａ／Ｖ（オーディオ・ビデオ）入力部４１２、ＴＶチューナ部４１３を備えている。この音声情報記録再生装置はさらに、ＳＴＢ部４０３に接続された衛星アンテナ４２１、システムタイムカウンタ（ＳＴＣ）部４２４、Ｖミキシング部４０５からパーソナルコンピュータ（ＰＣ）４３５へデジタルビデオ信号を送るインターフェイス（Ｉ／Ｆ）４３４、アナログＴＶ４３７用Ｄ／Ａ変換部４３６を備えている。
【００６３】
ここで、Ｖミキシング部４０５は、デコード部４０２のＶ−ＰＲＯ部４３８からのデジタルビデオ信号と、ＳＴＢ部４０３からのデジタルビデオ信号４２３とを、適宜ミキシングする機能を持っている。このミキシング機能により、たとえばＴＶ４３７の表示画面の左側にＳＴＢ部４０３からの放送画像を表示し、ＴＶ４３７の表示画面の右側にディスク２０１から再生した画像を表示することができる。あるいは、ＳＴＢ部４０３からの放送画像とディスク２０１からの再生画像とを、ＰＣ４３５のモニタ画面において、オーバーラッピングウインドウに重ねて表示することもできる。
【００６４】
以上の構成において、エンコーダ部４０１内は、ビデオおよびオーディオ用のＡ／Ｄ変換部４１４、Ａ／Ｄ変換部４１４からのデジタルビデオ信号またはＳＴＢ分０３からのデジタルビデオ信号４２３を選択してビデオエンコード部４１６に送るセレクタ４１５、セレクタ４１５からのビデオ信号をエンコードするビデオエンコード部４１６、Ａ／Ｄ変換部４１４からのオーディオ信号をエンコードするオーディオエンコード部４１７、ＴＶチューナ部４１３からのクローズドキャプション（ＣＣ）信号あるいは文字放送信号等を副映像（ＳＰ）にエンコードするＳＰエンコード部４１８、フォーマッタ部４１９、バッファメモリ部４２０より構成される。
【００６５】
一方、デコード部４０２内は、メモリ４２６を内蔵する分離部４２５、縮小画像（サムネールピクチャ）生成部４３９を内蔵するビデオデコード部４２８、ＳＰデコード部４２９、オーディオデコード部４３０、トランスポートストリームパケット（ＴＳパケット）転送部４２７、ビデオプロセサ（Ｖ−ＰＲＯ）部４３８、オーディオ用Ｄ／Ａ変換部４３２より構成されている。
【００６６】
デコード部４３０でデコードされたデジタルオーディオ信号は、インターフェイス（Ｉ／Ｆ）４３１を介して外部出力可能となっている。また、このデジタルオーディオ信号をＤ／Ａ変換部４３２でアナログ化したアナログオーディオ信号により、外部のオーディオアンプ（図示せず）を介してスピーカ４３３が駆動されるようになっている。ここで、Ｄ／Ａ変換部４３２は、オーディオデコード部４３０からのデジタルオーディオ信号のみならず、ＳＴＢ部４０３からのデジタルオーディオ信号４２２のＤ／Ａ変換もできるように構成される。
【００６７】
なお、ディスク２０１からの再生データをＳＴＢ部４０３に転送する場合は、ＴＳパケット転送部４２７において分離部４２５からの再生データ（ビットストリーム）をトランスポートパケット（ＴＳパケット）に変更し、ＳＴＣ４２４からの時間情報に転送時間を合わせて、ＴＳパケットをＳＴＢ部４０３に送ればよい。
【００６８】
図４の主ＭＰＵ部４０４は、作業用メモリとしてのワークＲＡＭ４０４ａと、ストリームデータ（またはＲＴＲデータ）作成制御部４０４ｂという名の制御プログラムと、ストリームデータ（またはＲＴＲデータ）再生制御部４０４ｃという名の制御プログラムと、ストリームデータ（またはＲＴＲデータ）の部分消去／仮消去制御部４０４ｄという名の制御プログラム等を含んでいる。
【００６９】
ここで、ファイルの管理領域（図２あるいは図３（ｅ）のＲＴＲ．ＩＦＯ１０４、ＳＴＲＥＡＭ．ＩＦＯ１０５）などを読み書きするために、主ＭＰＵ部４０４は、Ｄ−ＰＲＯ部４１０に、専用のマイクロコンピュータバスを介して接続されている。
【００７０】
音声情報記録再生装置における記録（録音・録画）時の制御は、上記制御プログラム（シーケンシャルな制御プログラム）を用い主ＭＰＵ部４０４により行われる。まず、図４の装置における記録（録音・録画）時のビデオ信号の流れについて説明をする。録画時には、主ＭＰＵ部４０４内のストリームデータ（またはＲＴＲデータ）作成制御部４０４ｂという名のシーケンシャルプログラムにしたがって、一連の処理が行われる。
【００７１】
すなわち、ＩＥＥＥ１３９４規格に準拠した伝送経路経由してＳＴＢ部４０３からエンコード部４０１へ送出されたストリームデータ（またはＲＴＲデータ）は、まずフォーマッタ部４１９に転送される。フォーマッタ部４１９のＩＥＥＥ１３９４受信側は、ＳＴＣ４２４のタイムカウント値に基づいて、ストリームデータ（またはＲＴＲデータ）転送開始からの時間を読み込む。読み込んだ時間情報は、管理情報として主ＭＰＵ部４０４へ送られ、ワークＲＡＭ部４０４ａに保存される。
【００７２】
主ＭＰＵ部４０４は、上記時間情報に基づいて、ストリームデータ（またはＲＴＲデータ）をストリームブロック毎（リアルタイムＲＴＲレコーダではＶＯＢＵ毎、ストリーマではＳＯＢＵ毎）に切り分ける区切れ情報を作成するとともに、この区切れ情報に対応したセルの切り分け情報およびプログラムの切り分け情報、さらにはＰＧＣの切り分け情報を作成し、主ＭＰＵ部４０４内のワークＲＡＭ部４０４ａに逐次記録する。
【００７３】
フォーマッタ部４１９は、主ＭＰＵ部４０４のストリームデータ（またはＲＴＲデータ）作成制御部４０４ｂからの指示にしたがって、ＳＴＢ部４０３から送られてきたストリームデータ（またはＲＴＲデータ）をパック列に変換し、変換されたパック列をＤ−ＰＲＯ部４１０へ入力する。入力されたパックはセクタと同じ２０４８バイトの一定サイズを持っている。Ｄ−ＰＲＯ部４１０は、入力されたパックを１６セクタ毎にまとめてＥＣＣブロックにして、ディスクドライブ部４０９へ送る。
【００７４】
ディスクドライブ部４０９においてＲＡＭディスク（情報媒体）２０１への記録準備ができていない場合には、Ｄ−ＰＲＯ部４１０は、記録データを一時記憶部４１１に転送して一時保存し、ディスクドライブ部４０９においてデータ記録準備ができるまで待つ。ここで、一時記憶部４１１は、高速アクセス可能で数分以上の記録データを保持できるようにするため、大容量メモリを想定している。
【００７５】
ディスクドライブ部４０９において記録準備ができた段階で、Ｄ−ＰＲＯ部４１０は一時記憶部４１１に保存されたデータをディスクドライブ部４０９に転送する。これにより、ディスク２０１への記録が開始される。一時記憶部４１１に保存されたデータの記録が済むと、その続きのデータはフォーマッタ部４１９からＤ−ＰＲＯ部４１０へシームレスに転送されるようになっている。
【００７６】
次に、再生時のデータ処理について説明する。音声情報記録再生装置における再生時の制御は、ストリームデータ（またはＲＴＲデータ）再生制御部４０４ｃという名のシーケンシャルプログラムにしたがい、主ＭＰＵ部４０４によって、一連の処理が行われる。
【００７７】
まず、ディスクドライブ部４０９により、ＲＡＭディスク（情報媒体）２０１からストリームデータ（またはＲＴＲデータ）が再生される。再生されたデータは、Ｄ−ＰＲＯ部４０９を経由してデコーダ部４０２に転送される。デコーダ部４０２内部では、再生されたデータ中のパケットを分離部４２５が受け取る。
【００７８】
分離部４２５は、ビデオパケットデータ（ＭＰＥＧビデオデータ）はビデオデコード部４２８へ転送し、オーディオパケットデータはオーディオデコード部４３０へ転送し、副映像パケットデータはＳＰデコード部４２９へ転送する。
【００７９】
ビデオデコード部４２８でデコードされたビデオデータは、Ｖミキシング部４０５およびＤ／Ａ変換部４３６を介してアナログＴＶ信号に変換され、ＴＶ４３７に転送されて画像表示される。
【００８０】
同時に、オーディオデコード部４３０でデコードされたオーディオ信号もＤ／Ａ変換部４３２へ送られ、デジタル音声データに変換される。変換されたデジタル音声データは、Ｉ／Ｆ４３１を介して外部オーディオ機器（図示せず）のデジタル入力に転送される。あるいは、変換されたデジタル音声データは、Ｄ／Ａ変換部４３２によりアナログ音声信号に変換され、図示しないオーディオアンプを介して、スピーカ４３３に送られる。
【００８１】
図４の音声情報記録再生装置において、音声情報は、Ａ／Ｖ入力部４１２から入力され、Ａ／Ｄ変換器４１４でデジタル信号に変換後、セレクタ４１５を経由してオーディオエンコード部４１７へ入力される。記録の第１ステップとして、入力された音声情報は情報媒体２０１上のＲＴＲ＿ＡＵＤ．ＶＲＯ１１４ファイル内に追加記録される。この記録と同時に、主ＭＰＵ部４０４内でその記録されている音声情報に関する管理情報がリアルタイムで作成される。音声情報の記録が終了すると、図３に示すようなセル情報および／またはＰＧＣＩ情報が変更されまたは追加作成される。その後、変更されまたは追加作成されたセル情報および／またはＰＧＣＩ情報を含む管理情報により、ＲＴＲ＿ＩＦＯ１０４が書き替えられる。
【００８２】
図５は、図１のオーディオエントリに対応したタイムサーチテーブルエントリを格納するタイムサーチテーブルのデータ構造と、記録された音声情報の内容であるオーディオオブジェクト（ＡＯＢ）のアドレス（再生位置または再生時間）との関係を説明する図である。
【００８３】
オーディオオブジェクトＡＯＢ（あるいはオーディオＶＯＢ）は、所定のデータサイズを持つＡＯＢエレメント（あるいはオーディオオブジェクトユニットＡＯＢＵ）の集まりで構成される。これらのＡＯＢエレメントのアドレス（再生位置または再生時間）は、一連のＡＯＢエレメントのデータサイズを累計した値により表すことができる。
【００８４】
各ＡＯＢエレメントのデータサイズは、対応するタイムサーチテーブルエントリ（ＴＭＳＲＴ＿ｅｎｔｒｙ＃１〜＃ｎ）に記述された差分バイト数で示すことができる。これらＴＭＳＲＴエントリ（ＴＭＳＲＴ＿ｅｎｔｒｙ＃１〜＃ｎ）とタイムサーチテーブルヘッダ（ＴＭＳＲＴ＿Ｈ）とを纏めたものが、タイムサーチテーブル（ＴＭＳＲＴ）となる。
【００８５】
すなわち、タイムサーチテーブルＴＭＳＲＴは、ＡＯＢ内のＡＯＢエレメントのサイズを示す情報であり、タイムサーチテーブルヘッダＴＭＳＲＴ＿Ｈと各ＡＯＢエレメントの管理情報である１以上のＴＭＳＲＴエレメント（＃１〜＃ｎ）とで構成される。
【００８６】
タイムサーチテーブルＴＭＳＲＴのヘッダＴＭＳＲＴ＿Ｈは、ＴＭＳＲＴの識別子ＴＭＳＲＴ＿ＩＤおよびＴＭＳＲＴエントリの総数ＴＭＳＲＴＥ＿Ｎｓ等で構成される。このＴＭＳＲＴＥ＿Ｎｓは、図３（ｉ）のオーディオエントリ数２６０に対応する。
【００８７】
各ＴＭＳＲＴエントリ（ＴＭＳＲＴ＿ｅｎｔｒｙ＃１〜＃ｎ）は、対応ＡＯＢエレメントのデータサイズをバイト数で示すＴＭＳＲＴ＿ＥＮＴを含む。このＴＭＳＲＴ＿ＥＮＴは、図３（ｉ）のオーディオエントリデータサイズ２６１、２６２等に対応する。
【００８８】
この実施の形態では、タイムサーチテーブルＴＭＳＲＴで記述されるデータサイズ（バイト数）は、２秒毎の再生時間に対応するようになっている。
【００８９】
図６は、この発明に係る情報記録手順の一例を説明するフローチャートである。この手順は、たとえば図４の主ＭＰＵ４０４により実行することができる。また、記録には、たとえば図３の媒体２０１を用いることができる。
【００９０】
まず、映像情報、静止画像情報、テキスト情報、ストリーム情報および／または音声情報を適宜含むＲＴＲデータあるいはストリームデータが、図３（ｄ）のリアルタイムビデオ記録エリア２２１あるいはストリーム記録エリア２２２に記録される（ステップＳＴ１０）。この実施の形態では、ステップＳＴ１０においては音声情報とその他の情報（映像情報、静止画像情報、テキスト情報、ストリーム情報）とが混在記録される場合を想定している。また、ステップＳＴ１０における情報記録には、新規録画のみならず、編集等で記録内容の一部が消去される場合、あるいは消去可能な部分にオーバーライトが行われて記録内容の書き替えがなされる場合も含まれる。
【００９１】
ステップＳＴ１０の情報記録（部分消去、書き替えも含む）が済むと、この記録（部分消去、書き替え）に対応して、管理領域への管理情報（図１〜図３のＲＴＲ．ＩＦＯ／ＶＲ＿ＭＡＮＧＲ．ＩＦＯ；図２〜図３のＳＴＲＥＡＭ．ＩＦＯ／ＳＲ＿ＭＡＮＧＲ．ＩＦＯ；あるいは図７のＡＲ＿ＭＡＮＧＲ．ＩＦＯ）の追記あるいは変更記録（書替）がなされる（ステップＳＴ１２）。
【００９２】
具体的には、記録された音声情報を再生する際の、音声情報とその他の情報（映像情報、静止画像情報、テキスト情報、ストリーム情報等の情報）との間の関連情報（オリジナルＰＧＣ情報および／またはユーザ定義ＰＧＣ情報）が、管理領域に追記されあるいは変更記録される。
【００９３】
図７は、データファイルのディレクトリ構造の他の例を説明する図である。ルートディレクトリ２００Ｘには、サブディレクトリとしてＤＶＤ＿ＲＴＡＶディレクトリ２１０Ｘその他のサブディレクトリ２３０Ｘが適宜設けられる。サブディレクトリ２１０Ｘ内において、各オブジェクト情報（コンテンツ情報）はオブジェクトの内容毎に独立したファイルとして記録されている。
【００９４】
オーディオ・ビデオのコンテンツ情報はオブジェクトと呼ばれる。図７に示すように、映像コンテンツ情報はＶＲ＿ムービーオブジェクト記録領域１３１Ｘ内に記録され、音声コンテンツ情報はＡＲ＿オーディオオブジェクト記録領域１３３Ｘ内に記録される。また、静止画像のコンテンツ情報はＡＲ＿スチル画オブジェクト記録領域１３２Ｘ内に記録され、リアルタイムテキストのコンテンツ情報はＡＲ＿リアルタイムテキストオブジェクト記録領域１３４Ｘ内に記録される。全ての音声情報はＡＲ＿ＡＵＤＩＯ．ＡＲＯ２２１Ｘというファイル内にまとめて記録され、全ての静止画像情報（スチル画）はＡＲ＿ＳＴＩＬＬ．ＡＲＯ２１３Ｘというファイル内にまとめて記録され、全てのリアルタイムテキスト情報はＡＲ＿ＲＴ＿ＴＥＸＴ．ＡＲＯ２２２Ｘというファイル内にまとめて記録される。
【００９５】
この発明の一実施の形態では、ビデオレコーディング規格で定義された映像情報ファイル内の映像の１場面を静止画像として抽出し、抽出した静止画像を音声情報と同時に表示することができる。そのときに使用する映像情報ファイルＶＲ＿ＭＯＶＩＥ．ＶＲＯ２１２Ｘも、同じＤＶＤ＿ＲＴＡＶディレクトリ２１０Ｘ内に記録されている。これらのオブジェクトファイルを統合的に管理する管理情報記録領域１３０Ｘ内の情報は、ＡＲ＿ＭＡＮＧＲ．ＩＦＯ２１１ＸというファイルおよびそのバックアップファイルであるＡＲ＿ＭＡＮＧＲ．ＢＵＰ２１５Ｘ内に記録される。
【００９６】
音声関連情報の録音（記録）／再生が可能な情報媒体に記録される管理情報のデータ構造の骨格部は、互換性重視の観点から、ＤＶＤフォーラムで制定されたビデオレコーディング規格と同じ構造としている。また、ＤＶＤフォーラムで制定されたビデオレコーディング規格と同様、音声関連情報の再生手順を示す情報は、オリジナルＰＧＣ情報／ユーザ定義ＰＧＣ情報内に記録されている。
【００９７】
音声関連情報内で連続再生可能な最小基本単位はセルと呼ばれ、そのセルの繋がりを示す再生手順がＰＧＣにより構成される。セルに関する管理情報は、管理情報記録領域１３０Ｘに記録される１以上のセル情報内に全て記録されている。音声情報が記録されているＡＲ＿ＡＵＤＩＯ．ＡＲＯ２２１Ｘのファイル内のどの範囲を１個のセルで再生するかを示す情報は、セル情報内に記録されている。１個のＰＧＣ情報に従って再生される音声関連情報の再生手順は、そのＰＧＣ情報を構成する１以上のセル情報の配置順により決定され、この配置順に再生および表示が実行される。
【００９８】
音声関連情報に関する再生手順情報には、
（１）情報媒体１００上に記録した順に再生する再生手順と、
（２）ユーザが任意に指定可能な再生手順との２通りが存在する。
【００９９】
「記録された順に再生する」再生手順に関する管理情報は“オリジナルＰＧＣ”と呼ばれ、ユーザに対する呼び名を“オリジナルトラック”と名付けることができる。また、「ユーザが任意に指定可能な」再生手順に関する管理情報は“ユーザ定義ＰＧＣ”と呼ばれ、ユーザに対する呼び名を“プレイリスト”と名付けることができる。
【０１００】
オリジナルＰＧＣは、１つの情報媒体内で１つしか存在しないが、ユーザ定義ＰＧＣは複数個設定できる。それぞれのユーザ定義ＰＧＣに関する管理情報は、複数のユーザ定義ＰＧＣ情報内（図３（ｆ））に記録される。これらのユーザ定義ＰＧＣ情報は、ユーザ定義ＰＧＣ情報テーブル（ＵＤ＿ＰＧＣＩＴＩ）内で一元管理されている。すなわち、ＵＤ＿ＰＧＣＩＴＩには、このテーブルにどのようなユーザ定義ＰＧＣ情報が記録されているかを示している。これらのユーザ定義ＰＧＣ情報をサーチするための情報は、ユーザ定義ＰＧＣ情報サーチポインタとして管理情報内に記録することができる。
【０１０１】
ところで、ＣＤ（コンパクトディスク）、ＭＤ（ミニディスク）、カセットテープ等の音声情報媒体では、ポピュラー音楽の曲毎あるいはクラシック音楽の楽章毎に設定される“トラック”という管理単位を有している。前記プレイリスト（ユーザ定義ＰＧＣ）作成時に、ユーザは例えば“Ａ”と言う名のオリジナルトラックの一部と“Ｂ”と言う名のオリジナルトラックの一部を組み合わせて“Ｃ”と言う名の新しいトラックを作成する場合がある。
【０１０２】
１個のセルは、音声情報ファイルであるＡＲ＿ＡＵＤＩＯ．ＡＲＯ２２１Ｘ内の連続再生範囲のみを指定できる（ＡＲ＿ＡＵＤＩＯ．ＡＲＯ２２１Ｘに飛び石的または離散的に存在する再生範囲をまたがっては指定できない）。この場合には、たとえば“Ａ”と言う名のオリジナルトラックの一部を１個の（ユーザ定義）セル＃１で指定し、“Ｂ”と言う名のオリジナルトラックの一部を別の１個の（ユーザ定義）セル＃２で指定し、これらのセル＃１とセル＃２との組み合わせで“Ｃ”と言う名の新しいトラックを定義し管理できる。すなわち、この発明の一実施の形態に係るデータ構造では、１個以上のセルの組み合わせで１個のトラックを構成できるようになっている。
【０１０３】
ＤＶＤフォーラムで制定されたビデオレコーディング規格との間の互換性を確保するために、上記のデータ構造を保持しつつ音声情報特有のトラックの区切りを規定する方法として、この発明の一実施の形態では、「再生手順を示す情報であるＰＧＣ情報内に、音声情報に対するトラックの切れ目位置を示す情報を記録できる」ようにしている。
【０１０４】
これを実現する方法として、各トラック毎の再生開始位置に存在するセルの管理情報であるセル情報の中にトラックヘッドエントリポイントと言う情報記録領域を設定できるようにし、その中に、トラック固有の情報を記録している。
【０１０５】
上記エントリポイントの種類としては、トラックヘッドエントリポイントまたはプログラム情報がある。
【０１０６】
このエントリポイントの情報内容としては、エントリポイントタイプ情報（トラックヘッドエントリポイントかスチル画エントリポイントか等の識別情報）、該当するオーディオトラックの内容を示す代表音声の表示範囲を指定する情報（該当するオーディオトラック内の再生開始時間と再生終了時間で指定されている）、該当するオーディオトラックの内容を代表する代表画像の保存場所を指定する情報（Ｓ＿ＶＯＧＩ番号とその中のＶＯＢエントリ番号で指定される）がある。さらに、該当するオーディオトラック固有のテキスト情報（曲名、演奏者名、歌手名、作曲者名などを記述したプライマリーテキスト）、付加説明用テキスト情報（アイテムテキスト）、該当するオーディオトラック内での静止画像の表示モード（表示順モード、表示タイミングモード等）、該当する静止画像の表示時間範囲情報、表示する静止画像内容のオリジナルトラックとの関係（オリジナルトラックのものと同じ静止画像を表示するか、別の独自の静止画像（新規に設定されたスチル画）を表示するか）、消去禁止フラグなどの情報もある。
【０１０７】
またスチル画エントリポイント内には、エントリポイントタイプ情報（トラックヘッドエントリポイントかスチル画エントリポイントかの識別情報）、表示する静止画像の保存場所を指定する情報（Ｓ＿ＶＯＧＩ番号とその中のＶＯＢエントリ番号で指定される）、上記の静止画像を表示するタイミングの指定情報（対応するオーディオオブジェクトの表示時間情報を指定して両者間の表示タイミングを合わせるためのもの）、該当する静止画像の表示時間範囲情報等がある。これらの情報の他にさらに別の情報が追加されてもよい。
【０１０８】
なお、トラックヘッドエントリポイントを使う代わりに、トラック先頭に位置するセルのセル情報の中に「該当するセルがトラックの先頭位置に配置されていることを示すフラグ情報」を記録するようにしてもよい。この場合、たとえば“フラグ＝１”により該当セルがトラックの先頭位置に存在することを示すことができ、“フラグ＝０”により該当セルがトラックの２番目以降に存在することを示すことができる。
【０１０９】
さらに、前記セル情報に、音声情報と静止画像情報とを同時表示する設定を行なう同時表示設定情報を記述することもできる。
【０１１０】
図８は、録再可能情報媒体上の記録データ構造のさらに他の例を説明する図である。図８（ｃ）〜（ｅ）に示すように、オーディオ・ビデオ関連情報記録領域１２１Ｘに対する管理情報記録領域１３０Ｘ内には、ＲＴＲオーディオマネージャ情報（ＲＴＲ＿ＡＭＧＩ）１４０Ｘ、ムービーＡＶファイル情報テーブル（Ｍ＿ＡＶＦＩＴ）１４１Ｘ、スチル画ＡＶファイル情報テーブル（Ｓ＿ＡＶＦＩＴ）１４２Ｘ、オーディオファイル情報テーブル（Ａ＿ＡＶＦＩＴまたはＡＵＤ＿ＦＩＴ）１４３Ｘ、オリジナルＰＧＣ情報（ＯＲＧ＿ＰＧＣＩ）１４４Ｘ、ユーザ定義ＰＧＣ情報テーブル（ＵＤ＿ＰＧＣＩＴ）１４５Ｘ、テキストデータマネージャ（ＴＸＴＤＴ＿ＭＧ）１４６Ｘ、製造者情報テーブル（ＭＮＦＩＴ）１４７Ｘ等が記録される。
【０１１１】
図７に示したＡＲ＿ＡＵＤＩＯ．ＡＲＯ２２１Ｘファイル内の音声情報に関する管理情報は、図８（ｅ）のオーディオＡＶファイル情報テーブル（Ａ＿ＡＶＦＩＴまたはＡＵＤ＿ＦＩＴ）１４３Ｘに記録されている。図８（ｅ）〜（ｉ）では、オーディオに関する管理情報であるオーディオＡＶファイル情報テーブル１４３Ｘを、階層的に示している。
【０１１２】
オーディオＡＶファイル情報テーブル（Ａ＿ＡＶＦＩＴまたはＡＵＤ＿ＦＩＴ）１４３Ｘは、図８（ｆ）に示すように、オーディオＡＶファイル情報テーブル情報（ＡＵＤ＿ＦＩＴＩ）１８０Ｘ、１以上（ｋ個）のオーディオオブジェクトストリーム情報（ＡＵＤ＿ＳＴＩ＃１〜＃ｋ）１８１Ｘ〜１８２Ｘ、オーディオＡＶファイル情報（ＡＵＤＦＩ）１８４Ｘ、１以上のリアルタイムテキストオブジェクトストリーム情報１８６Ｘ、リアルタイムテキストＡＶファイル情報１８９Ｘ等で構成される。
【０１１３】
オーディオＡＶファイル情報（ＡＵＤＦＩ）１８４Ｘは、図８（ｇ）に示すように、オーディオＡＶファイル一般情報（ＡＵＤＦＩ＿ＧＩ）１９０Ｘ、１以上のオーディオオブジェクト情報サーチポインタ（ＡＯＢＩ＿ＳＲＰ＃１〜＃ｉ）１９１Ｘ〜１９２Ｘ、１以上のオーディオオブジェクト情報（ＡＯＢＩ＃１〜＃ｉ）１９６Ｘ〜１９７Ｘ等で構成される。
【０１１４】
各オーディオオブジェクト情報（たとえばＡＯＢＩ＃１）は、図８（ｈ）に示すように、オーディオオブジェクト一般情報（ＡＯＢ＿ＧＩ）２４０Ｘ、１以上のオーディオオブジェクトユニットエントリ（ＡＯＢＵ＿ＥＮＴ＃１〜＃ｈ）２４１Ｘ〜２４８Ｘ等で構成される。
【０１１５】
そして、各オーディオオブジェクトユニットエントリ（たとえばＡＯＢＵ＃１）は、図８（ｉ）に示すように、オーディオオブジェクトユニットデータサイズ（ＡＯＢＵ＿ＳＺ）２５１Ｘ、オーディオオブジェクトユニットプレゼンテーションタイム（ＡＯＢＵ＿ＰＢ＿ＴＭ）２５２Ｘ、リアルタイムテキスト位置（差分アドレス）２５３Ｘ等で構成される。
【０１１６】
なお、図８（ｇ）の各オーディオオブジェクト情報（ＡＯＢＩ）は、オーディオオブジェクト一般情報（ＡＯＢ＿ＧＩ）と、図示しないオーディオオブジェクトユニット情報（ＡＯＢＵＩ）とで構成することもできる。
【０１１７】
この場合、オーディオオブジェクト一般情報（ＡＯＢ＿ＧＩ）は、図示しないが、該当ＡＯＢ（対象オーディオオブジェクト）の形式を示すＡＯＢ＿ＴＹ、該当ＡＯＢの記録時間を示すＡＯＢ＿ＲＥＣ＿ＴＭ、このＡＯＢ＿ＲＥＣ＿ＴＭに対する１秒以下の時間情報（サブセコンド情報）を示すＡＯＢ＿ＲＥＣ＿ＴＭ＿ＳＵＢ、該当ＡＯＢのオーディオストリーム情報番号を示すＡＵＤ＿ＳＴＩＮ、該当ＡＯＢの最初のオーディオフレームの再生開始時間を示すＡＯＢ＿Ａ＿Ｓ＿ＰＴＭ、該当ＡＯＢの最後のオーディオフレームの再生終了時間を示すＡＯＢ＿Ａ＿Ｅ＿ＰＴＭ、システムクロックリファレンス（ＳＣＲ）で記述した先行ＡＯＢと該当ＡＯＢとの間の差分を示すＳＣＲ＿ＤＩＦＦ等で構成することができる。
【０１１８】
またオーディオオブジェクトユニット情報（ＡＯＢＵＩ）は、図示しないオーディオオブジェクトユニット一般情報（ＡＯＢＵ＿ＧＩ）、および図８（ｈ）の１以上のオーディオオブジェクトユニットエントリ（ＡＯＢＵ＿ＥＮＴ＃１〜＃ｈ）等で構成される。
【０１１９】
そして、オーディオオブジェクトユニット一般情報（ＡＯＢＵ＿ＧＩ）は、図示しないが、オーディオオブジェクトユニット（ＡＯＢＵ）の再生時間を示すＡＯＢＵ＿ＰＢ＿ＴＭ（図８（ｉ）の２５２Ｘに対応）、ＡＯＢＵのサイズＡＯＢＵ＿ＳＺ（図８（ｉ）の２５１Ｘに対応）、該当ＡＯＢ（対象オーディオオブジェクト）の最終ＡＯＢＵの再生時間を示すＬ＿ＡＯＢＵ＿ＰＢ＿ＴＭ、この最終ＡＯＢＵのサイズを示すＬ＿ＡＯＢＵ＿ＳＺ、ＡＯＢＵエントリの数（図８（ｈ）の例ではｈ個）を示すＡＯＢＵ＿ＥＮＴ＿Ｎｓ、該当ＡＯＢの開始アドレスを示すＡＯＢ＿ＳＡ等を含むことができる。
【０１２０】
図７のＡＲ＿ＲＴ＿ＴＥＸＴ．ＡＲＯ２２２Ｘファイル内に記録されているリアルタイムテキスト情報（リアルタイムテキストオブジェクト；音声情報と同期して表示内容が変化する情報）に対する管理情報は、オーディオＡＶファイル情報テーブル１４３Ｘ内の（１以上の）リアルタイムテキストオブジェクトストリーム情報１８６ＸおよびリアルタイムテキストＡＶファイル情報１８９Ｘに記録することができる（図８（ｆ））。
【０１２１】
ディスク状の情報媒体１００Ｘに音声情報を記録（録音）する場合には、複数トラックをまとめて録音する場合が多い。この場合、まとめて一度に録音する音声情報単位をオーディオオブジェクト（ＡＯＢ）と呼ぶ。個々のＡＯＢ毎にオーディオオブジェクト情報＃１〜＃ｉ（図８（ｇ）の１９６Ｘ〜１９７Ｘ）の管理情報を設ける。
【０１２２】
音声情報に対して高速再生（ファーストフォワード）、巻き戻し（ファーストリバース）、タイムサーチなどの特殊再生を可能にするため、音声情報はＡＯＢよりさらに小さなデータユニット（オーディオオブジェクトユニットＡＯＢＵ）に分割される。そして、各データユニット（ＡＯＢＵ）毎のデータサイズ（図８（ｉ）のオーディオオブジェクトユニットデータサイズ２５１Ｘ）と表示所要時間（オーディオオブジェクトユニットプレゼンテーションタイム２５２Ｘ）の情報が、オーディオオブジェクトユニットエントリ＃１〜＃ｈ（図８（ｈ）の２４１Ｘ〜２４８Ｘ）の該当記録場所内に記録される。
【０１２３】
また、各データユニット（ＡＯＢＵ）内の先頭位置の音声情報を再生するときに表示されるリアルタイムテキスト情報（リアルタイムテキストオブジェクト）が記録されているＡＲ＿ＲＴ＿ＴＥＸＴ．ＡＲＯ２２２Ｘファイル（図７）内の位置情報（相対アドレス／差分アドレス）も、リアルタイムテキスト位置情報２５３Ｘとしてオーディオオブジェクトユニットエントリ＃１〜＃ｈ（２４１Ｘ〜２４８Ｘ）内に記録されている。
【０１２４】
図３（ｇ）に示す各セル情報内には、該当するセルが指し示すＡＯＢ（オーディオオブジェクト）の番号と、該当セルの時間情報（開始時間および終了時間）とが記録されている。この指定されたセルを再生する場合には、指定されたＡＯＢ内の指定された時間範囲内が再生される。具体的には、この時間情報に対してオーディオオブジェクト情報（ＡＯＢＩ）＃１〜＃ｉ内に記録されたオーディオオブジェクトユニットエントリ＃１〜＃ｈ（図８（ｈ））の情報を用いて、再生用に指定された時間範囲がＡＲ＿ＡＵＤＩＯ．ＡＲＯ２２１Ｘ内の相対アドレスに変換され、その後に希望する音声情報が再生されることになる。
【０１２５】
ここでの再生開始点は任意に選択できるものであり、対応するトラックヘッドエントリポイントをユーザが指定することにより、いずれのトラック（編集後の曲）からでもスタートすることができる。なお、オーディオトラックに関連させてスチル画を指定しておくこともできる。
【０１２６】
図９は、録再可能情報媒体上の記録データ構造のさらに他の例を説明する図である。音声情報の再生時に同時に表示する静止画像情報（スチル画オブジェクト）に対する管理情報は、図９（ｅ）に示すスチル画ＡＶファイル情報テーブル（Ｓ＿ＡＶＦＩＴ）１４２Ｘ内に記録されている。このＳ＿ＡＶＦＩＴ１４２Ｘ内には、図９（ｆ）に示すように、オーディオＡＶファイル情報テーブル情報（Ａ＿ＡＶＦＩＴＩ）２６０Ｘ、１以上のスチル画ＶＯＢストリーム情報＃１〜＃ｊ、スチル画ＡＶファイル情報（Ｓ＿ＡＶＦＩ）２６４Ｘ等が記録される。
【０１２７】
Ｓ＿ＡＶＦＩ２６４Ｘ内には、図９（ｇ）に示すように、スチル画ＡＶファイル情報一般情報（Ｓ＿ＡＶＦＩ＿ＧＩ）２７０Ｘ、１以上のスチル画ＶＯＢグループ情報サーチポインタ（Ｓ＿ＶＯＧＩ＿ＳＲＰ）＃１〜＃ｇ、１以上のスチル画ＶＯＢグループ情報（Ｓ＿ＶＯＧＩ）＃１〜＃ｇ等が記録される。
【０１２８】
ところで、静止画像情報も情報媒体１００Ｘに記録する場合には、一度に複数枚の静止画像情報をまとめて記録する場合が多い。一度に記録する静止画像情報をまとめたものは、スチル画ＶＯＢグループ（Ｓ＿ＶＯＧ）と呼ばれる。スチル画ＶＯＢグループに関する管理情報はスチル画ＶＯＢグループ情報（Ｓ＿ＶＯＧＩ）＃１〜＃ｇ内に記録され、この管理情報によりスチル画ＶＯＢグループ単位での管理が行なわれる。
【０１２９】
具体的には、Ｓ＿ＶＯＧＩ＃１〜＃ｇ（図９（ｇ）の２７３Ｘ〜２７９Ｘ）内のスチル画ＶＯＢエントリ（Ｓ＿ＶＯＢ＿ＥＮＴ）＃１〜＃ｆ（図９（ｈ）の２８１Ｘ〜２８９Ｘ）各々は、図９（ｉ）に示すように、スチル画ＶＯＢエントリタイプ（Ｓ＿ＶＯＢ＿ＥＮＴ＿ＴＹ）２９１Ｘ、１つのスチル画サイズ（ビデオ部分のサイズＶ＿ＰＡＲＴ＿ＳＺ）２９２Ｘ等を持つ。これらの情報（Ｓ＿ＶＯＢ＿ＥＮＴ＿ＴＹ、Ｖ＿ＰＡＲＴ＿ＳＺ）により、スチル画ＶＯＢグループ単位での管理を行なうことができる。
【０１３０】
図１０は、録再可能情報媒体上の記録データ構造のさらに他の例を説明する図である。“曲名”、“歌手名”、“演奏者名”などのトラック毎に固有な情報は、テキスト情報としてトラックヘッドエントリポイント（図示せず）内に記録できる。“曲名”、“歌手名”、“演奏者名”など比較的データ量が少ないテキスト情報を記録する場所として、トラックヘッドエントリポイント内にプライマリーテキスト情報と言う名の記録領域（図示せず）が存在する。
【０１３１】
それに対して、トラック毎の固有情報ではあるがデータ量が膨大でプライマリーテキスト情報内に記録できない情報は、アイテムテキスト（ＩＴ＿ＴＸＴ）＃１〜＃ｅ（図１０（ｆ）の２３６Ｘ〜２３８Ｘ）内に記録できるようになっている。この場合、トラックヘッドエントリポイント内には、何番目のアイテムテキストを示すかの情報を持ったポインタ情報（ＩＴ＿ＴＸＴ＿ＳＲＰ）のみが記録される構造になっている。
【０１３２】
アイテムテキスト情報は、図１０（ｅ）（ｆ）に示すように、テキストデータマネージャ（ＴＸＴＤＴ＿ＭＧ）１４６Ｘ内にまとめて一括記録されている。テキストデータマネージャ（ＴＸＴＤＴ＿ＭＧ）１４６Ｘ内には、テキストデータ情報（ＴＸＴＤＴＩ）２３１Ｘ、１以上のアイテムテキストサーチポインタ（ＩＴ＿ＴＸＴ＿ＳＲＰ＃１〜＃ｅ）２３２Ｘ〜２３３Ｘ、１以上のアイテムテキスト（ＩＴ＿ＴＸＴ＃１〜＃ｅ）２３６Ｘ〜２３８Ｘ等が記録される。
【０１３３】
テキストデータ情報（ＴＸＴＤＴＩ）２３１Ｘ内には、キャラクタセットＣＨＲＳ、アイテムテキストサーチポインタの数ＩＴ＿ＴＸＴ＿ＳＲＰ＿Ｎｓ、テキストデータマネージャの終了アドレスＴＸＴＤＴ＿ＭＧ＿ＥＡ等が格納される。
【０１３４】
各アイテムテキストサーチポインタ（ＩＴ＿ＴＸＴ＿ＳＲＰ＃）内には、該当アイテムテキストの開始アドレスＩＴ＿ＴＸＴ＿ＳＡ、そのアイテムテキストのサイズＩＴ＿ＴＸＴ＿ＳＺ等が格納される。また、各アイテムテキスト（図１０（ｇ）の２３９Ｘ）は、キャラクタセットＣＨＲＳで指定された文字コードで記述されたテキストを含む。これらのアイテムテキストは、１箇所で集中的に管理されるテキスト情報、すなわちゼネラルテキスト情報と呼ぶこともできる。
【０１３５】
図１０（ｅ）（ｆ）に示すようにようにアイテムテキスト情報を一括記録すると、全アイテムテキスト＃１〜＃ｅの内容に対して“テキストサーチ”などの検索を容易に行なうことができるようになり、音声情報検索に役に立つ。
【０１３６】
図１１は、録再可能情報媒体上の記録データ構造の他の例（エントリポイント情報２８３内にオーディオインデックス情報が設けられた例）を説明する図である。図３（ｉ）の実施の形態では、無音期間後に初めて音声が開始される位置をエントリポイント情報２８３で指定する場合を例示した。一方、その応用例として、エントリポイント情報２８３に、より汎用性を持たせることもできる。この応用例を、図１１を用いて説明する。
【０１３７】
音楽を対象とする音声情報では“曲（ソング）”と言う音声情報の区切り単位を持ち、この曲に対応した表現として音声情報の区切り単位をトラック（オーディオトラック）と呼ぶ。さらに、１個のトラック内の特定のセグメントをインデックスと呼ぶ。たとえば、トラックをクラシックの交響曲、協奏曲あるいはソナタに対応させた場合、各楽章が上記インデックスに対応する。あるいは歌謡曲の１曲をトラックに対応させた場合には１曲内のブロック（その曲の歌詞の１番、２番、３番など）の切り替わり位置を上記インデックスに対応させることができる。
【０１３８】
図３（ｉ）で説明したが「１曲内に無音期間を含む音声情報に対して無音期間後の初めて音声開始する位置」も、上記インデックスに含めて捉えることができる。つまり、「エントリポイント情報２８３を利用して無音期間終了後初めての音声開始位置を指定する」ことの利用方法／利用概念を拡張したものが、インデックス指定になる。
【０１３９】
図１１（ｉ）に示したエントリポイント情報２８３内のデータ構造は、図３（ｉ）に示したエントリポイント情報２８３内のデータ構造の他の実施の形態を示している。複数のエントリポイントを持つ構造の場合には、図１１（ｉ）および後述する図１２（ｉ）に示すように、エントリポイントタイプ情報２８３４、２８３５の情報が必要となる。
【０１４０】
この発明の実施の形態では、図１１（ｉ）に示すエントリポイント構造の場合には、エントリポイントタイプ情報２８３４として“０１０１”または“０００１”を設定することができる。また、図１２（ｉ）示すエントリポイント構造の場合にはエントリポイントタイプ情報２８３５として“００１０”を割り当て、図３（ｉ）の場合には“００１１”を割り当てて、データ構造の違いの識別を可能としている。
【０１４１】
インデックスの指定方法としては、図１（ｇ）または図３（ｈ）に示したタイムマップ情報（オーディオオブジェクトユニットエントリポイントまたはオーディオエントリ）２５２を利用して音声情報の再生時刻により指定する方法がある。この再生時刻情報がエントリポイント指定時刻情報２８３１内で指定される。また、交響曲内の楽章番号あるいは歌謡曲内のブロック番号（１番、２番、３番、…）に対応した番号がインデックス番号２８３６として記録される。
【０１４２】
図１２は、録再可能情報媒体上の記録データ構造のさらに他の例（エントリポイント情報２８３内に、音声情報と同時に表示する静止画像情報を指し示す情報が設けられた例）を説明する図である。
【０１４３】
図３（ｈ）の説明箇所で、コンポジットセルを用いることで音声情報および静止画像情報等を同時に表示するデータ構造について示した。一方、この実施の形態では、図１２（ｈ）（ｉ）に示すように、エントリポイント情報２８３を用いて音声情報および静止画像情報を同時表示できるデータ構造を採用している。
【０１４４】
図１２（ｉ）に示す構造の場合には、エントリポイントタイプ情報２８３５は“００１０”に設定される。
【０１４５】
静止画像の指定は、
（１）Ｓ＿ＶＯＧＩサーチポインタ番号２８３７により図９（ｇ）のＳ＿ＶＯＧＩサーチポインタの番号を指定することで、スチルピクチャＶＯＢグループ情報＃１・２７３〜＃ｇ・２７９のいずれかを指定し、
（２）さらにスチルピクチャＶＯＢエントリ番号２８３８により図９（ｈ）内でのスチルピクチャＶＯＢエントリ＃１・２８１〜＃ｆ・２８９を指定することにより、
行なうことができる。
【０１４６】
ここで指定された静止画像を表示するタイミングは、図１２（ｉ）のエントリポイント指定時刻情報２８３１による同一セル内の音声情報再生時刻でもって、設定することができる。
【０１４７】
再生時には、図１（ｇ）に示したオーディオエントリもしくは図８（ｈ）に示したオーディオオブジェクトユニットエントリ（ＡＯＢＵ＿ＥＮＴ）で構成される音声情報のタイムマップ情報を利用して、上記の再生時刻に対応したＡＲ＿ＡＵＤＩＯ．ＡＲＯ２２１Ｘ（図７）またはＲＴＲ＿ＡＵＤ．ＶＲＯ１１４（図２）内に記録された音声オブジェクト情報の記録場所を、検索できる。
【０１４８】
上記のエントリポイント情報２８３では時刻情報を示しているが、この時刻から静止画像を表示し、同一セル内の音声情報の再生が完了するまで（もしくは次のエントリポイント情報２８３で指定された次の静止画像を表示するようになるまで）現行の静止画像を表示し続けるようにしてもよい。
【０１４９】
図３（ｈ）、図１１（ｈ）、図１２（ｈ）では１個のセル内に１個のエントリポイント情報２８３のみが記録されているが、これに限らず、１個のセル内に複数のエントリポイント情報２８３を記録することも可能である。また図３（ｈ）、図１１（ｈ）、図１２（ｈ）ではエントリポイント情報２８３はオリジナルＰＧＣ情報２３３内のセル情報＃１・２７２に記録されているが、それに限らず、たとえばユーザ定義ＰＧＣ情報テーブル２３４内のセル情報＃１・２７７内にエントリポイント情報を記録することも可能である。
【０１５０】
エントリポイント情報２８３の利用方法としては図３（ｉ）に示すように無音期間後に初めて音声開始する位置を指定するだけでなく、図１１（ｉ）に示すようにエントリポイント情報２８３内でインデックス番号を指定することでより汎用性を持った利用方法を確保できる。
【０１５１】
たとえばトラック内のユーザが気に入った場所の頭出し、クラシック音楽での交響曲、協奏曲、ソナタなどにおける楽章の切り替わり位置の指定、あるいは歌謡曲でのブロック（１番、２番、３番など）の切り替わり位置を、エントリポイント情報２８３内のインデックス番号で指定できる。その結果、ユーザは図１１（ｉ）に示したにエントリポイント情報２８３内のインデックス番号を指定することで同一曲（トラック）内の気に入った場所あるいは気に入ったブロックに直接頭出しを行って再生させることが可能となる。
【０１５２】
図３（ｈ）に示すようにコンポジットセル内で同時に２種類のＶＯＢを指定する代わりに、図１２（ｉ）に示すようにエントリポイント情報２８３を利用して静止画像を指定すれば、より管理情報のデータ内容の簡素化が図れるとともに、曲単位の部分消去、並び替えなどの編集処理をより簡素化できる。
【０１５３】
具体例として、同一セル内を２分割し、前半を消去する場合について説明すると、図３（ｈ）に示すコンポジットセルの場合には、静止画像と音声情報間の同期を合わせるために、消去後に残った部分として第１ＶＯＢ開始時間２８６を２分割の境界時間に変更するとともに、第２Ｖ０Ｂ開始時間２８７も変更する必要がある。それに比べて、図１２（ｉ）に示したデータ構造を採用した場合には、セル内の表示時間２８２を変更し、消去範囲に該当するエントリポイント情報２８３を消去するだけで良い。
【０１５４】
さらに、図１２（ｉ）のように音声情報と同時に表示する静止画像情報の設定にエントリポイント情報２８３を用いることで、部分消去、一部並び替えなどの編集処理時に、図３（ｈ）のデータ構造では必要とされる音声情報と静止画像情報間との同期合わせ設定が、不要となる。
【０１５５】
また、図１２（ｉ）に示すようにエントリポイント情報２８３を利用して静止画像を指定できるようにすれば、音声情報再生時の任意のタイミングで静止画像の表示を設定できるようになる。すなわち、図１（ｊ）に示すように静止画像のＶＯＢエントリでは１枚の静止画像毎の表示時間間隔が予め決まっている。そのため、図３（ｈ）に示したコンポジットセル構造を取った場合には音声情報の再生時間に対する各静止画像の表示タイミングを任意に設定できない。それに比べて、図１２（ｉ）に示したように音声情報再生と同時に表示する静止画像のタイミングをエントリポイント情報２８３で定めるデータ構造を用いると、各静止画像に対する表示タイミングを音声情報の再生時刻であるエントリポイント指定時刻情報２８３１で個々に設定できるようになる。そのため元の静止画像のＶＯＢエントリで指定された静止画像表示時間に関わらず、任意の音声情報再生時刻に静止画像の表示時刻を指定できる。
【０１５６】
なお、各実施の形態で述べたセル情報に、音声情報と静止画像情報（または音声情報と映像情報）とを同時表示する設定を行なう同時表示設定情報を記述することもできる。
【０１５７】
また、この発明の実施の形態で例示されたデータ構造の適用対象は、光ディスク（図３、図４、図８〜図１２の情報媒体２０１あるいは１００Ｘ）だけに限定されるものではなく、固体メモリ（大容量の半導体フラッシュメモリ等）に適用することもできる。
【０１５８】
【発明の効果】
以上説明したこの発明における効果をまとめると以下のようになる：
１．図１（ｃ）（ｈ）に示すように各オーディオＶＯＢ（ＡＯＢ）＃Ａ〜＃Ｃに対して個々にセル＃２、＃３、＃６を定義し、かつ各セルに対応したセル情報内にセルタイプ情報を持たせる。このセルタイプ情報により、映像情報（ムービーセル）、静止画像情報（スチル画セル）および音声情報（オーディオセル）の間の識別が可能となり、映像情報および静止画像情報と全く同列に音声情報の管理も可能になる。その結果、映像情報および／または静止画像情報と全く同様にデジタル音声情報を情報媒体上に記録できるだけでなく、情報媒体からの再生、編集等も容易に行える。
【０１５９】
たとえば映像情報記録用にビデオテープを用い音声情報記録用にＭＤを別々に用いていたこれまでの状況に対して、この発明のように１枚の情報媒体上に映像情報および／または静止画像情報と音声情報とを混在記録可能とすることで、ユーザは、１台の記録再生機器だけで、音声／映像／静止画像が混在した情報の記録、再生、編集を行えるようになる。また、たとえば記録時期が異なる静止画像情報と音声情報とを組み合わせて再生するなどユーザの編集、再生方法に大きな幅が生まれる。
【０１６０】
２．音声情報に対してオーディオＶＯＢ（ＡＯＢ）を定義し、他の映像情報、静止画像情報と同等のセルをオーディオＶＯＢ（ＡＯＢ）に対応付けるとともに、オーディオセルも含めた各セル間の再生順を示すオリジナルＰＧＣの情報を持たせる。こうすることで、ユーザに対しては、ビデオテープに記録するような映像情報と、カセットテープ等のオーディオテープ上に記録するような音声情報と、静止画像情報が記録できるデジタルテープ上に記録される静止画像情報とを、あたかも繋がりを持った１本のテープ上に混在記録させたように見せることができる。これらの情報を記録した順に１本のテープのようにそれぞれ繋がりを持って再生できる仕組みを提供することで、この発明のデータ構造を利用した情報媒体は、オーディオテープあるいはビデオテープなどに慣れ親しんでいるユーザにとっても違和感なく使用できる。
【０１６１】
３．音声情報に対する管理情報であるＡ＿ＶＯＢＩ（またはＡＯＢＩ）内にタイムマップ情報（あるいはタイムサーチテーブル）を持たせたことにより、ユーザ定義ＰＧＣ内にあるセルはこのタイムマップ情報を利用して再生範囲を任意に指定できる。その結果、映像情報、静止画像情報、音声情報内の任意の領域を任意の順番で再生させることが可能となる。
【図面の簡単な説明】
【図１】情報媒体上に記録される音声情報の記録フォーマット（記録データ構造）、およびその音声情報に関する管理情報の記録フォーマット（記録データ構造）を説明する図である。
【図２】データファイルのディレクトリ構造の一例を説明する図である。
【図３】録再可能情報媒体上の記録データ構造の一例を説明する図である。
【図４】この発明の一実施の形態に係る記録再生装置の構成を説明する図である。
【図５】図１のオーディオエントリに対応したタイムサーチテーブルエントリを格納するタイムサーチテーブルのデータ構造と、記録された音声情報の内容であるオーディオオブジェクト（ＡＯＢ）のアドレス（再生位置または再生時間）との関係を説明する図である。
【図６】この発明に係る情報記録手順の一例を説明するフローチャートである。
【図７】データファイルのディレクトリ構造の他の例を説明する図である。
【図８】録再可能情報媒体上の記録データ構造のさらに他の例を説明する図である。
【図９】録再可能情報媒体上の記録データ構造のさらに他の例を説明する図である。
【図１０】録再可能情報媒体上の記録データ構造のさらに他の例を説明する図である。
【図１１】録再可能情報媒体上の記録データ構造のさらに他の例を説明する図である。
【図１２】録再可能情報媒体上の記録データ構造のさらに他の例を説明する図である。
【図１】
0003625438.tif 000002
【図２】
0003625438.tif 000003
【図３】
0003625438.tif 000004
【図４】
0003625438.tif 000005
【図５】
0003625438.tif 000006
【図６】
0003625438.tif 000007
【図７】
0003625438.tif 000008
【図８】
0003625438.tif 000009
【図９】
0003625438.tif 000010
【図１０】
0003625438.tif 000011
【図１１】
0003625438.tif 000012
【図１２】
0003625438.tif 000013